(57)【特許請求の範囲】
【請求項１】
面状の表示部と、
前記表示部に重ねて配置され、指示体の前記表示部の面に沿った二次元座標と、前記指示体との垂直距離を検出可能なタッチパネルと、を備え、
前記タッチパネルは、
少なくとも前記垂直距離について第１の値以下かつ、前記第１の値より小さい第２の値より大きく、前記二次元座標及び前記垂直距離を検出可能な検出領域と、
少なくとも前記垂直距離について前記第１の値より大きく、前記二次元座標及び／又は前記垂直距離を検出不可能な非検出領域と、
を有し、
前記検出領域は、
前記二次元座標について前記タッチパネルの中心を含む第１領域と、
前記二次元座標について前記第１領域の外側にあるとともに、前記第１領域に接する第２領域と、
を有する電子機器であって、
前記指示体が、前記垂直距離について前記第１の値より大きい前記非検出領域から前記第１領域に直接入った場合、前記指示体の少なくとも二次元座標を有効な座標とし、
前記指示体が、前記垂直距離について前記第１の値より大きい前記非検出領域から前記第２領域に直接入った場合、前記指示体の少なくとも二次元座標を無効な座標とし、
前記指示体が、前記垂直距離について前記第１の値より大きい前記非検出領域から前記第２領域に直接入った後に前記第１領域に入った場合、前記第２領域における前記指示体の座標を無効な座標とするとともに、前記第１領域における前記指示体の少なくとも二次元座標を有効な座標とし、
前記指示体が、前記垂直距離について前記第１の値より大きい前記非検出領域から前記第１領域に直接入った後に前記第２領域に入った場合、又は、前記垂直距離について前記第１の値より大きい前記非検出領域から前記第２領域に直接入った後に前記第１領域に入り、その後に前記第２領域に入った場合、前記第１領域から前記第２領域に入った前記指示体の前記第２領域における少なくとも二次元座標を有効な座標とする、
電子機器。
【請求項２】
請求項１に記載の電子機器であって、
前記非検出領域は、前記垂直距離について前記タッチパネルの中心を基準に、前記検出領域の外側の領域を有する、
電子機器。
【請求項３】
請求項１または２に記載の電子機器であって、
前記第２の値は０である、
電子機器。
【請求項４】
請求項１から請求項３のいずれか１項に記載の電子機器であって、
前記有効な二次元座標は、少なくとも前記表示部に表示可能である、
電子機器。
【請求項５】
面状の表示部と、
前記表示部に重ねて配置され、指示体の前記表示部の面に沿った二次元座標と、前記指示体との垂直距離を検出可能なタッチパネルと、を備え、
前記タッチパネルは、
少なくとも前記垂直距離について第１の値以下かつ、前記第１の値より小さい第２の値より大きく、前記二次元座標及び前記垂直距離を検出可能な検出領域と、
少なくとも前記垂直距離について前記第１の値より大きく、前記二次元座標及び／又は前記垂直距離を検出不可能な非検出領域と、
を有し、
前記検出領域は、
前記二次元座標について前記タッチパネルの中心を含む第１領域と、
前記二次元座標について前記第１領域の外側にあるとともに、前記第１領域に接する第２領域と、
を有する電子機器に利用可能な指示体の座標検出方法であって、
前記指示体が、
前記垂直距離について前記第１の値より大きい前記非検出領域から前記第１領域に直接入った場合、前記指示体の少なくとも二次元座標を有効な座標とし、
前記垂直距離について前記第１の値より大きい前記非検出領域から前記第２領域に直接入った場合、前記指示体の少なくとも二次元座標を無効な座標とし、
前記指示体が、前記垂直距離について前記第１の値より大きい前記非検出領域から前記第２領域に直接入った後に前記第１領域に入った場合、前記第２領域における前記指示体の座標を無効な座標とするとともに、前記第１領域における前記指示体の少なくとも二次元座標を有効な座標とし、
前記指示体が、前記垂直距離について前記第１の値より大きい前記非検出領域から前記第１領域に直接入った後に前記第２領域に入った場合、又は、前記垂直距離について前記第１の値より大きい前記非検出領域から前記第２領域に直接入った後に前記第１領域に入り、その後に前記第２領域に入った場合、前記第１領域から前記第２領域に入った前記指示体の前記第２領域における少なくとも二次元座標を有効な座標とする、
座標検出方法。
【発明の詳細な説明】
【技術分野】
【０００１】
本発明は、タッチパネルを搭載した電子機器および座標検出方法に関する。
【背景技術】
【０００２】
周知の如く、タッチパネルとは、液晶パネルのような表示装置とタッチパッド（位置入力装置）とを組み合わせたものである。
タッチパネルには、パネル面に指が接触することなく所定の範囲の高さでの操作（以下、この近接操作のことを“ホバー操作”と呼ぶ）が可能な静電容量方式のものがある。図１０は、静電容量方式のタッチパネルの概略構成を示す図である。同図において、板状の誘電体１００の下面に離間して送信電極１０１と受信電極１０２が配置されており、送信電極１０１には、駆動バッファ１０３から駆動パルスが印加される。駆動パルスが印加されたときに電界が発生し、この電界中に手を入れると、送信電極１０１と受信電極１０２の間の電気力線の数が減少する。この電気力線の変化が受信電極１０２における電荷の変化として現れる。受信電極１０２における電荷の変化から手のタッチパネルへの接近を検出する。
【０００３】
図１１は、タッチパネルに手を徐々に近づけたときの指の検出状態を示す図である。同図において、（ａ）は、手が電界から離れているときの状態、（ｂ）は指が電界内に入ったときの指ホバー検出状態、（ｃ）は指が電界内に完全に入ってタッチパネルに触れている指タッチ検出状態である。
【０００４】
ところで、操作目的で指をタッチパネルに触れる場合は誤操作とはならないが、例えば片手操作する場合、親指の座標を検出する前に親指の付け根等の指先以外の部分が検出されてしまうことがあり、ユーザの意図した操作を阻害することがある。
ユーザの意図しない操作を防止する方法として、例えば特許文献１に記載されている入力制御方法がある。この入力制御方法は、タッチパネルへの接触を検知し、接触された領域を少なくとも含む領域を、入力操作を受け付けない無効領域として特定し、タッチパネルへの接触を検知し、接触された領域が無効領域に含まれない場合に、当該領域に関連付けられた入力処理を実行するものである。
【先行技術文献】
【特許文献】
【０００５】
【特許文献１】特開２０１２−２３４３８６号公報
【発明の概要】
【発明が解決しようとする課題】
【０００６】
しかしながら、入力操作を受け付けない無効領域を固定してしまうと、タッチパネルから離れた位置での操作を可能とするホバー操作の場合には、例えば、タッチパネルから見た指の見かけ上の大きさが表示部の面と指との間の垂直距離の違いによって異なることから、ユーザの意図しない操作を十分に防止することができないという課題がある。
【０００７】
本発明は係る事情に鑑みてなされたものであり、タッチパネルから離れた位置での操作を可能とするホバー操作において、ユーザの意図しない操作を十分に防止することができる電子機器および座標検出方法を提供することを目的とする。
【課題を解決するための手段】
【０００８】
本発明の電子機器は、面状の表示部と、前記表示部に重ねて配置され、指示体の前記表示部の面に沿った二次元座標と、前記指示体との垂直距離を検出可能なタッチパネルと、を備え、前記タッチパネルは、少なくとも前記垂直距離について第１の値以下かつ、前記第１の値より小さい第２の値より大きく、前記二次元座標及び前記垂直距離を検出可能な検出領域と、少なくとも前記垂直距離について前記第１の値より大きく、前記二次元座標及び／又は前記垂直距離を検出不可能な非検出領域と、を有し、前記検出領域は、前記二次元座標について前記タッチパネルの中心を含む第１領域と、前記二次元座標について前記第１領域の外側にあるとともに、前記第１領域に接する第２領域と、を有する電子機器であって、前記指示体が、前記垂直距離について前記第１の値より大きい前記非検出領域から前記第１領域に直接入った場合、前記指示体の少なくとも二次元座標を有効な座標とし、前記指示体が、前記垂直距離について前記第１の値より大きい前記非検出領域から前記第２領域に直接入った場合、前記指示体の少なくとも二次元座標を無効な座標とし、前記指示体が、前記垂直距離について前記第１の値より大きい前記非検出領域から前記第２領域に直接入った後に前記第１領域に入った場合、前記第２領域における前記指示体の座標を無効な座標とするとともに、前記第１領域における前記指示体の少なくとも二次元座標を有効な座標とし、前記指示体が、前記垂直距離について前記第１の値より大きい前記非検出領域から前記第１領域に直接入った後に前記第２領域に入った場合、又は、前記垂直距離について前記第１の値より大きい前記非検出領域から前記第２領域に直接入った後に前記第１領域に入り、その後に前記第２領域に入った場合、前記第１領域から前記第２領域に入った前記指示体の前記第２領域における少なくとも二次元座標を有効な座標とする。
【０００９】
上記構成によれば、指示体（例えば“指”）の検出領域に、指示体の少なくとも二次元座標を有効な座標とする第１領域と、指示体の少なくとも二次元座標を無効な座標とする第２領域とを設けることで、タッチパネルから離れた位置での操作を可能とするホバー操作においてユーザの意図しない操作を十分に防止することが可能となる。
【００２３】
上記構成において、前記非検出領域は、前記垂直距離について前記タッチパネルの中心を基準に、前記検出領域の外側の領域を有する。
【００２４】
上記構成において、前記第２の値は０である。
【００２５】
上記構成において、前記有効な二次元座標は、少なくとも前記表示部に表示可能である。
【００２６】
本発明の座標検出方法は、面状の表示部と、前記表示部に重ねて配置され、指示体の前記表示部の面に沿った二次元座標と、前記指示体との垂直距離を検出可能なタッチパネルと、を備え、前記タッチパネルは、少なくとも前記垂直距離について第１の値以下かつ、前記第１の値より小さい第２の値より大きく、前記二次元座標及び前記垂直距離を検出可能な検出領域と、少なくとも前記垂直距離について前記第１の値より大きく、前記二次元座標及び／又は前記垂直距離を検出不可能な非検出領域と、を有し、前記検出領域は、  前記二次元座標について前記タッチパネルの中心を含む第１領域と、前記二次元座標について前記第１領域の外側にあるとともに、前記第１領域に接する第２領域と、を有する電子機器に利用可能な指示体の座標検出方法であって、前記指示体が、前記垂直距離について前記第１の値より大きい前記非検出領域から前記第１領域に直接入った場合、前記指示体の少なくとも二次元座標を有効な座標とし、前記垂直距離について前記第１の値より大きい前記非検出領域から前記第２領域に直接入った場合、前記指示体の少なくとも二次元座標を無効な座標とし、前記指示体が、前記垂直距離について前記第１の値より大きい前記非検出領域から前記第２領域に直接入った後に前記第１領域に入った場合、前記第２領域における前記指示体の座標を無効な座標とするとともに、前記第１領域における前記指示体の少なくとも二次元座標を有効な座標とし、前記指示体が、前記垂直距離について前記第１の値より大きい前記非検出領域から前記第１領域に直接入った後に前記第２領域に入った場合、又は、前記垂直距離について前記第１の値より大きい前記非検出領域から前記第２領域に直接入った後に前記第１領域に入り、その後に前記第２領域に入った場合、前記第１領域から前記第２領域に入った前記指示体の前記第２領域における少なくとも二次元座標を有効な座標とする。
【００２７】
上記方法によれば、タッチパネルから離れた位置での操作を可能とするホバー操作においてユーザの意図しない操作を十分に防止することが可能となる。
【発明の効果】
【００２８】
本発明によれば、タッチパネルから離れた位置での操作を可能とするホバー操作において、ユーザの意図しない操作を十分に防止することができる。
【図面の簡単な説明】
【００２９】
【図１】本発明の一実施の形態に係る電子機器の概略構成を示すブロック図
【図２】図１の電子機器の外観を示す斜視図
【図３】図１の電子機器におけるタッチパネルと指示体である指との位置関係を示す図
【図４】図１の電子機器のタッチパネルにおける無効領域と有効領域を模式的に示した図
【図５】図１の電子機器のタッチパネルにおける無効領域と有効領域を示す平面図
【図６】図１の電子機器のタッチパネルにおける有効領域の設定例を説明するための図
【図７】図１の電子機器のタッチパネルにおける非検出領域と検出領域を模式的に示した図
【図８】図１の電子機器の制御部による二次元座標の有効・無効判定処理を説明するためのフローチャート
【図９】図１の電子機器のタッチパネルにおける有効領域の設定の応用例であり、２段階で切り替わる一例を示す図
【図１０】静電容量方式のタッチパネルの概略構成を示す図
【図１１】タッチパネルに手を徐々に近づけたときの指の検出状態を示す図
【発明を実施するための形態】
【００３０】
以下、本発明を実施するための好適な実施の形態について、図面を参照して詳細に説明する。
【００３１】
図１は、本発明の一実施の形態に係る電子機器の概略構成を示すブロック図である。図２は、図１の電子機器の外観を示す斜視図である。なお、本実施の形態に係る電子機器１は、例えばスマートフォンと呼ばれる携帯無線機に本発明を適用したものであり、図１のブロック図では、無線機として機能する部分を省略している。
【００３２】
図１において、本実施の形態に係る電子機器１は、タッチパネル２、表示部３、記憶部５及び制御部６を有する。また、図２に示すように、本実施の形態に係る電子機器１は、縦長長方形状の筐体７を有しており、この筐体７の前面側にタッチパネル２及び表示部３が配置される。タッチパネル２及び表示部３は、筐体７の前面の面積より僅かに小さい面積を有する面状で、かつ平面視において縦長長方形状に形成されている。この場合、表示部３の面積はタッチパネル２の面積より僅かに小さくなっている。タッチパネル２は表示部３の前面側に重ねて配置される。
【００３３】
タッチパネル２は、そのパネル面に指示体（ユーザの指やペン等であり、本実施の形態では“指”として扱うこととする）が触れることなく所定の範囲の高さでの操作（これを“ホバー操作”と呼ぶ）を可能とした静電容量方式を採用したものである。静電容量方式を採用したタッチパネル２は、図１０に示したように、送信電極１０１と受信電極１０２を備え、これらが板状の誘電体１００の下面に離間して配置される。送信電極１０１には、送信信号に基づく駆動パルスが印加される。送信電極１０１に駆動パルスが印加されることで送信電極１０１から電界が発生し、この電界中に指が入った場合に、送信電極１０１と受信電極１０２の間の電気力線の数が減少し、その数の変化が受信電極１０２における電荷の変化として現れる。タッチパネル２は、受信電極１０２における電荷の変化に応じた受信信号から指を検出し、指の表示部３の面に沿った二次元座標（ｘ，ｙ）を検出するとともに、指示体である指と表示部３の面との垂直距離（ｚ）を検出し、検出した二次元座標（ｘ，ｙ）及び垂直距離（ｚ）を制御部６に出力する。
【００３４】
表示部３は、長方形状を成し、電子機器１を操作するための表示や画像等の表示に使用される。表示部３には、ＬＣＤ（Liquid Crystal Display）、有機ＥＬ（Electro Luminescence）又は電子ペーパー等の表示デバイスが用いられる。記憶部５は、ＤＲＡＭ（Dynamic Random Access Memory）等の揮発性メモリを有し、ユーザが電子機器１を使用するうえでの設定を行った際にその設定を記憶する。
【００３５】
制御部６は、ＣＰＵ（Central Processing Unit）、ＲＯＭ（Read Only Memory）、ＲＡＭ（Random Access Memory）及びインタフェース回路で構成され、ＲＯＭにはＣＰＵを制御するためのプログラムが記憶されており、ＲＡＭはＣＰＵの動作において使用される。制御部６は、動作モードとして、ポインタモードと通常モードを有し、ポインタモードはパッド操作を行うときに使用されるモードであり、通常モードはタッチ位置と機能動作位置が同じモードである。
【００３６】
ポインタモードでの操作は、通常モードでの操作と同様に、タッチパネル２に直接触れるのではなく、タッチパネル２の上空で操作を行う間接的な操作（上述したホバー操作）となる。タッチパネル２の所定の領域の上空で、かつ所定の距離範囲内に指を翳すことでポインタモードに切り替わる。ポインタモードに切り替わった後、指を動かすことで、それに追従してポインタ（図示略）が移動する。このポインタモードでは、ポインタの位置に対応して所定の機能が実行される。
【００３７】
図３は、タッチパネル２と指示体である指１０との位置関係を示す図である。同図に示すように、タッチパネル２の上空において、第１の距離（第１の値）以下で、かつ第１の距離より小さい第２の距離（第２の値）より大きい距離範囲内に指１０を翳すことでポインタモードに切り替わる。ポインタモードに切り替わることで、ホバー状態にある指１０の座標（ｘ，ｙ，ｚ）が検出される。そして、指１０が検出された座標（ｘ，ｙ，ｚ）に対応した表示部３の面上の位置にポインタ３０として表示される。このとき、ポインタ３０がアイコン（図示略）と重なっている場合、アイコンが選択可能であるとして、指１０が第２の距離以下にタッチパネル２に近づいたときに、当該アイコンに対応する機能が起動する。ポインタ３０の表示やアイコンに対応する機能の起動は制御部６によって行われる。なお、上記第２の距離は０（ゼロ）としてもよい。また、ポインタ３０は、図３に示すような点で表示するようにしても良いし、矢印等の記号で表示するようにしても良い。
【００３８】
制御部６は、例えば、ポインタモード時に、タッチパネル２から出力される座標（ｘ，ｙ，ｚ）を取り込む。そして、指１０とタッチパネル２との垂直距離（ｚ）に応じて、二次元座標を有効にする有効領域（二次元座標有効領域、第１領域）を設定する。この場合、制御部６は、指１０とタッチパネル２との垂直距離（ｚ）が大きくなるに従って有効領域を狭くする。図４は、タッチパネル２における無効領域と有効領域（一部分）を模式的に示した図である。また、図５は、タッチパネル２における無効領域と有効領域を示す平面図である。図４において、無効領域４０は、タッチパネル２のＸ，Ｙ方向に対応する無効Ｘ，Ｙ領域４０Ａとタッチパネル２のＺ方向に対応する無効Ｚ領域４０Ｂからなる領域である。無効領域４０は、指１０とタッチパネル２との間の垂直距離（ｚ）が大きくなるに従ってタッチパネル２の内側に広がり、有効領域５０は、無効領域（第２領域）４０の広がりに反して狭くなる。この場合、無効領域４０がタッチパネル２の内側に広がることから、有効領域５０は台形状になる。実際は立体的な台形状となる（後述する図７を参照）。有効領域５０の平面的な形状は、表示部３と同様に四角形である。この場合、当然ながら、有効領域５０は、指１０とタッチパネル２との垂直距離（ｚ）が所定の値（タッチパネル２に触れたときの距離で略ゼロである）より大きい場合（即ちホバー状態の場合）、表示部３の四角形より小さくなる。有効領域５０は、指１０とタッチパネル２との垂直距離（ｚ）が大きくなるに従って小さくなり、当該距離（ｚ）が最小になる場合に最も大きくなる。
【００３９】
有効領域５０は、例えば図６に示すように、表示部３の中心３Ａを含む状態で狭くするようにしたり、有効領域５０の長方形における少なくとも向かい合う長辺２０１，２０２の幅（図中、両方向矢印で示す）を、指１０とタッチパネル２との垂直距離（ｚ）が大きくなるに従って狭くするようにしたり、あるいは、有効領域５０の長辺２０１，２０２を、指１０とタッチパネル２との垂直距離（ｚ）が大きくなるに従って、表示部３の長方形の長辺３１，３２に沿って引かれた中線２００に向かって移動させるようにしたりすることが考えられる。
【００４０】
制御部６は、指示体である指１０の座標（ｘ，ｙ，ｚ）に対する有効／無効を次ようにして決定する。
ここで、以下に示す非検出領域は、制御部６が認識できない領域である。また、以下に示す検出領域は、二次元座標についてタッチパネル２の中心２Ａを含む有効領域５０と、二次元座標について有効領域５０の外側にある無効領域４０を含むもので、制御部６が認識できる領域である。図７は、非検出領域と検出領域を模式的に示した図である。同図において、非検出領域６０は、指１０とタッチパネル２との垂直距離（ｚ）についてタッチパネル２の中心線２Ｂを基準に検出領域７０の外側の領域を有する。検出領域７０は、上述したように無効領域４０と有効領域５０を含む。
【００４１】
指示体の初回座標は以下のように定義する。
（１−１）非検出状態であるタッチパネル２が指示体を検出したとき、そのときの座標を初回座標とする。
（１−２）非検出領域６０から検出領域７０に指示体が移動したとき、そのときの座標を初回座標とする。
（１−３）検出領域７０に指示体が入ってきたことを検出したとき、そのときの座標を初回座標とする。
【００４２】
制御部６は、このような初回座標の定義を踏まえたうえで、指示体の座標（ｘ，ｙ，ｚ）の有効／無効を決定する。なお、ここでも指示体を指１０とする。
（２−１）初回座標（何本目の指１０でも）の指１０の座標（ｘ，ｙ，ｚ）が無効領域４０の場合、当該座標（ｘ，ｙ，ｚ）を無効とする。
（２−２）無効化された指１０が有効領域５０に、非検出領域６０に移動することなく移動した場合、有効領域５０上の座標（ｘ，ｙ，ｚ）を有効とする。
（２−３）無効化された指１０が有効領域５０に移動しない限り、無効領域４０上の座標（ｘ，ｙ，ｚ）を無効とする。
（２−４）無効化された指１０がある場合（１本目の指１０−１）においても、初回座標の２本目の指１０−２が有効領域５０で検出された場合、２本目の指１０−２の座標（ｘ，ｙ，ｚ）を有効とする。この場合、２本目の指１０−２は、１本目の指１０−１としてホストに通知される。ホストは、例えば本電子機器がスマートフォンである場合、そのスマートフォンで使用されているＯＳ（オペレーティングシステム）である。
（２−５）一度有効領域５０で検出された指１０が移動して無効領域４０に入った場合は座標無効とはせず、座標有効とする。
【００４３】
制御部６は、有効領域５０内の座標（ｘ，ｙ）に対応した表示部３の画面上の位置にポインタ３０を表示する。また、このときポインタ３０が表示部３に表示されたアイコン（図示略）上に来ていれば、当該アイコンをユーザが選択したものと判断し、ユーザの指１０が第２の距離以下までタッチパネル２に近づいたときに、当該アイコンに対応する機能を起動させる。
【００４４】
図８は、制御部６による二次元座標の有効・無効判定処理を説明するためのフローチャートである。同図において、制御部６は、タッチパネル２から出力される現在の指１０の座標（ｘ，ｙ，ｚ）を取得する（ステップＳ１）。次いで、取得した座標が初回座標かどうか判定し（ステップＳ２）、初回座標でない場合（即ち、この判定で「ＮＯ」と判定した場合）、座標が無効化されている状態かどうか判定する（ステップＳ３）。座標無効状態でない場合（即ち、この判定で「ＮＯ」と判定した場合）、取得した座標が有効であるとして、前述したＯＳに通知し（ステップＳ４）、その後、ステップＳ１に戻る。これに対して、取得した座標が初回座標である場合（即ち、ステップＳ２の判定で「ＹＥＳ」と判定した場合）、もしくは座標無効状態である場合（即ち、ステップＳ３の判定で「ＹＥＳ」と判定した場合）、当該座標が無効領域４０内かどうか判定し（ステップＳ５）、無効領域４０内でない場合（即ち、この判定で「ＮＯ」と判定した場合）、当該座標が有効であるとして前述したＯＳに通知し（ステップＳ４）、その後、ステップＳ１に戻る。これに対して、無効領域４０内である場合（即ち、ステップＳ５の判定で「ＹＥＳ」と判定した場合）、当該座標が無効であるとして、前述したＯＳに通知せず（ステップＳ６）、その後、ステップＳ１に戻る。
【００４５】
上述した（２−１）の場合、ステップＳ１→ステップＳ２（「ＹＥＳ」）→ステップＳ５（「ＹＥＳ」）→ステップＳ６の経路を辿る。また、（２−２）の場合は、（２−１）の経路を辿った後、ステップＳ１→ステップＳ２（「ＮＯ」）→ステップＳ３（「ＹＥＳ」）→ステップＳ５（「ＮＯ」）→ステップＳ４の経路を辿る。また、（２−３）の場合は、（２−１）の経路を辿った後、ステップＳ１→ステップＳ２（「ＮＯ」）→ステップＳ３（「ＹＥＳ」）→ステップＳ５（「ＹＥＳ」）→ステップＳ６の経路を辿る。また、（２−４）の場合は、ステップＳ１→ステップＳ２（「ＹＥＳ」）→ステップＳ５（「ＮＯ」）→ステップＳ４の経路を辿る。また、（２−５）の場合は、ステップＳ３もしくはステップＳ５で「ＮＯ」となりステップＳ４の経路を辿った後、ステップＳ１→ステップＳ２（「ＮＯ」）→ステップＳ３（「ＮＯ」）→ステップＳ４の経路を辿る。
【００４６】
このように本実施の形態に係る電子機器１によれば、面状の表示部３と、表示部３に重ねて配置され、指示体である指１０の表示部３の面に沿った二次元座標（ｘ，ｙ）と、指１０との垂直距離（ｚ）を検出可能なタッチパネル２と、を備え、指１０とタッチパネル２との垂直距離（ｚ）が大きくなるに従って、二次元座標（ｘ，ｙ）を有効にする有効領域５０を狭くするので、タッチパネル２から離れた位置での操作を可能とするホバー操作においてユーザの意図しない操作を十分に防止することが可能となる。
【００４７】
なお、本実施の形態に係る電子機器１において、有効領域（二次元座標有効領域）は、少なくとも２段階で切り替わるものであってもよい。図９は、２段階で切り替わる一例を示す図である。
【００４８】
また、本実施の形態に係る電子機器１では、図８のフローチャートで示す処理を記述したプログラムをＲＯＭに記憶させることになるが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００４９】
また、本実施の形態に係る電子機器１は、スマートフォンと呼ばれる携帯無線機に本発明を適用したものであったが、携帯無線機に限らず、電子レンジ等の家電や、自動車等のナビゲーション等の操作パネルでも適用可能である。
【産業上の利用可能性】
【００５０】
本発明は、タッチパネルから離れた位置での操作を可能とするホバー操作において、ユーザの意図しない操作を十分に防止することができるといった効果を有し、スマートフォン等の静電容量方式のタッチパネルを用いた電子機器への適用が可能である。
【符号の説明】
【００５１】
１  電子機器
２  タッチパネル
３  表示部
５  記憶部
６  制御部
７  筐体
１０  指
３０  ポインタ
４０  無効領域
５０  有効領域
６０  非検出領域
７０  検出領域
【要約】
【課題】タッチパネルから離れた位置での操作を可能とするホバー操作において、ユーザの意図しない操作を十分に防止することができる電子機器を提供する。
【解決手段】面状の表示部３と、表示部３に重ねて配置され、指示体である指１０の表示部３の面に沿った二次元座標（ｘ，ｙ）と、指１０との垂直距離（ｚ）を検出可能なタッチパネル２と、を備え、指１０とタッチパネル２との垂直距離（ｚ）が大きくなるに従って、二次元座標（ｘ，ｙ）を有効にする有効領域５０を狭くする。このような構成を採ることで、タッチパネル２から離れた位置での操作を可能とするホバー操作においてユーザの意図しない操作を十分に防止することが可能となる。
【選択図】図７【図１】
0005542224.tif 000002
【図２】
0005542224.tif 000003
【図３】
0005542224.tif 000004
【図４】
0005542224.tif 000005
【図５】
0005542224.tif 000006
【図６】
0005542224.tif 000007
【図７】
0005542224.tif 000008
【図８】
0005542224.tif 000009
【図９】
0005542224.tif 000010
【図１０】
0005542224.tif 000011
【図１１】
0005542224.tif 000012